(57)【要約】【課題】記録する画像の色相に合わせた高画質な画像を得ることができる記録装置および記録方法を提供する。【解決手段】単位領域に付与する複数色の前記インクの、インク滴の総数と、インク色毎のインク滴の数の比と、を取得し、取得した総数と比との両方に基づいて、単位領域に付与すべき処理液の量を決定する記録データの比率と量に基づいてインクの記録順序が異なる領域毎に処理液の付与量を変更する。以上の処理を行うことで、記録する画像の色相に合わせた高画質な画像を得ることができる。【選択図】図１２
2012066576.tif 000002
【特許請求の範囲】
【請求項１】
複数色のインクと、前記インクと反応する処理液と、を付与可能な記録手段を用い、前記記録手段を記録媒体に対して走査させながら前記記録媒体の単位領域に対して画像を記録するための記録データを生成する画像処理装置であって、
前記単位領域に記録すべき画像データに基づいて、前記単位領域に付与する複数色の前記インクの、インク滴の総数と、インク色毎のインク滴の数の比と、を取得する取得手段と、
前記取得手段により取得した前記総数と前記比との両方に基づいて、前記単位領域に付与すべき処理液の量を決定する決定手段とを有することを特徴とする画像処理装置。
【請求項２】
前記記録手段は、往方向の走査及び復方向の走査で記録媒体に対して画像を記録可能な記録手段であって、
前記決定手段は、前記総数及び前記比と、前記単位領域に対する走査の方向を示す情報とに基づいて、前記単位領域に付与すべき処理液の量を決定する、ことを特徴とする請求項１に記載の画像処理装置。
【請求項３】
前記記録手段は、前記単位領域に対して１回の前記記録手段の走査で画像を記録することを特徴とする請求項１に記載の画像処理装置。
【請求項４】
前記総数及び前記比と、前記単位領域に付与すべき処理液の量と、を前記単位領域に対する走査の方向毎に対応づけたテーブルを記憶する記憶手段をさらに備え、
前記決定手段は、前記テーブルを用いて、前記単位領域に付与すべき処理液の量を決定することを特徴とする請求項２に記載の画像処理装置。
【請求項５】
前記記録手段は、前記単位領域に対して複数色の前記インクよりも先に前記処理液を付与することを特徴とする請求項１に記載の画像処理装置。
【請求項６】
前記決定手段は、前記取得手段により取得した前記総数及び前記比がそれぞれ所定の値を示す場合、前記単位領域に対する走査の方向がいずれの走査であっても、前記単位領域に付与すべき処理液の量が同じ量となるように決定することを特徴とする請求項２に記載の画像処理装置。
【請求項７】
前記単位領域に対する前記付与手段の走査の方向が、往方向である場合の前記決定手段は決定する前記単位領域に付与すべき処理液の量と、前記単位領域に対する前記付与手段の走査の方向が復方向である場合の前記決定手段は決定する前記単位領域に付与すべき処理液の量と、が異なることを特徴とする請求項２に記載の画像処理装置。。
【請求項８】
前記処理液は、前記インク中の色材を不溶化または凝集させることを特徴とする請求項１に記載の画像処理装置。
【請求項９】
前記決定手段は、さらに前記記録媒体の種類に応じて付与すべき処理液の量を決定することを特徴とする請求項１に記載の画像処理装置。
【請求項１０】
請求項１に記載の画像処理装置と、前記記録手段とを備える記録装置。
【請求項１１】
複数色のインクと、前記インクと反応する処理液と、を付与可能な記録手段を用い、前記記録手段を記録媒体に対して走査させながら前記記録媒体の単位領域に対して画像を記録するための記録データを生成する画像処理方法であって、
前記単位領域に記録すべき画像データに基づいて、前記単位領域に付与する複数色の前記インクの、インク滴の総数と、インク色毎のインク滴の数の比と、を取得する取得ステップと、
前記取得ステップにおいて取得した前記総数と前記比との両方に基づいて、前記単位領域に付与すべき処理液の量を決定する決定ステップと、を有することを特徴とする方法。
【請求項１２】
複数色のインクと、前記インクと反応する処理液と、を付与可能な記録手段を用い、前記記録手段を記録媒体に対して走査させながら前記記録媒体の単位領域に対して画像を記録するための記録データを生成する画像処理装置であって、
前記単位領域に記録すべき画像データに基づいて、前記単位領域に対して付与する複数色の前記インクの総量と、前記単位領域に対して付与するインク色毎の量の比と、を取得する取得手段と、
前記取得手段により取得した前記総量と前記比との両方に基づいて、前記単位領域に付与すべき処理液の量を決定する決定手段とを有することを特徴とする装置。
【発明の詳細な説明】
【技術分野】
【０００１】
本発明は、記録ヘッドを走査しながら記録媒体にインク等の記録液体を吐出して画像を形成するインクジェット記録装置および記録方法に関する。
【背景技術】
【０００２】
一般的に、インクジェット方式の記録装置は、記録ヘッドを搭載するキャリッジと、被記録媒体を搬送する搬送手段とこれらを制御するためのコントローラとを具備する。そして、複数のノズルからインク滴を吐出させる記録ヘッドを記録紙の搬送方向（副走査方向）と直交する方向（主走査方向）にシリアルスキャンさせるとともに、一方で非記録時に記録媒体を記録幅に等しい量で間欠搬送する。上記のような記録装置においてカラー画像を記録する場合、例えば、黒インク、シアンインク、マゼンタインク、イエローインクを吐出する記録ヘッドを主走査方向に配列したものを用いることができる。このような記録装置を用いると、１回の主走査で全ての色のインクが画像データに応じて吐出される。また、往方向の主走査と復方向の主走査とを交互に双方向記録を繰り返して画像を形成すると、例えばブルー、レッド、グリーンのいわゆる２次色を形成する場合には、インクの記録順序が往走査と復走査とで異なってしまう。記録媒体の種類にも依存するが先に記録されたインクが記録媒体の表層に留まり、後から記録されたインクが記録媒体内部に浸透する傾向がある。そのため、例えば、ブルーの画像を形成する場合に、シアンの記録後にマゼンタを記録した場合にはシアンが記録媒体表層に存在するためシアンよりのブルーに見える。反対に、マゼンタの記録後にシアンを記録した場合にはマゼンタよりのブルーに見える。このように、インクの記録順が往方向の主走査と復方向の主走査とで異なってしまう場合には、各主走査で色相が異なり色ムラとなって画像品位を低下させてしまう可能性がある。
【先行技術文献】
【特許文献】
【０００３】
【特許文献１】特開２００１−１３８５５４号公報
【発明の開示】
【発明が解決しようとする課題】
【０００４】
特許文献１は、インク中の色材を不溶化させる処理液を備え、インクの種類および吐出順序に応じて、処理液の吐出量を制御する技術を開示している。具体的には、処理液の付与量を制御することにより、インクの記録順の違いに起因した色ムラを低減させる。しかしながら、この刊行物に開示された技術では、記録する画像の色相によっては処理液の量が不十分あるいは過剰である場合が想定され、画質改善効果が十分に得られない可能性がある。
【０００５】
本発明の目的は、記録する画像の色相に合わせた高画質な画像を得ることができる記録装置および記録方法を提供することにある。
【課題を解決するための手段】
【０００６】
本発明は、複数色のインクと、前記インクと反応する処理液と、を付与可能な記録手段を用い、前記記録手段を記録媒体に対して走査させながら前記記録媒体の単位領域に対して画像を記録するための記録データを生成する画像処理装置であって、前記単位領域に記録すべき画像データに基づいて、前記単位領域に付与する複数色の前記インクの、インク滴の総数と、インク色毎のインク滴の数の比と、を取得する取得手段と、前記取得手段により取得した前記総数と前記比との両方に基づいて、前記単位領域に付与すべき処理液の量を決定する決定手段とを有することを特徴とする。
【発明の効果】
【０００７】
本発明によれば、記録する画像の色相に合わせた高画質な画像を得ることができる。
【図面の簡単な説明】
【０００８】
【図１】本発明を適用可能な記録装置の一実施形態の構成を示す概略斜視図。
【図２】図１の記録装置の制御回路のブロック図。
【図３】処理液を付与しない場合にレッド画像を１パス記録の往復走査による双方向記録する例を示す図。
【図４】レッド画像を往復走査で記録した場合における記録媒体へのインクの定着状態を表す模式図。
【図５】処理液を付与した場合にレッド画像を１パス記録の往復走査による双方向記録する例を示す図。
【図６】処理液を付与した場合にレッド画像を往復走査で記録した場合における記録媒体へのインクの定着状態を表す模式図。
【図７】付与する処理液量を変化させた場合のインクの定着状態と色の見え方を表す模式図。
【図８】入力画像データをインクジェット記録装置にて記録可能な記録データへと変換するデータ変換処理を示す機能ブロック図。
【図９】処理液データ生成処理の処理対象ブロックを説明する模式図。
【図１０】処理液データ生成処理１００６の手順を示すフローチャート。
【図１１】１次色、２次色判定処理の手順を示すフローチャート。
【図１２】色相領域判定処理の手順を示すフローチャート。
【図１３】彩度領域判定処理の手順を示すフローチャート。
【図１４】色判定処理の手順を示すフローチャート。
【図１５】CHH1色判定処理の手順を示すフローチャート。
【図１６】CHHM色判定処理の手順を示すフローチャート。
【図１７】CHH2色判定処理の手順を示すフローチャート。
【図１８】CLH1色判定処理の手順を示すフローチャート。
【図１９】CLHM色判定処理の手順を示すフローチャート。
【図２０】CLH2色判定処理の手順を示すフローチャート。
【図２１】色領域を説明するイメージ図。
【図２２】処理液データ生成方法を説明するための模式図。
【図２３】１パス及び２パス双方向記録を説明する図である。
【発明を実施するための形態】
【０００９】
（第１の実施形態）
以下、図面を参照して本発明に係るインクジェット式の記録装置および画像処理装置の実施形態を説明する。なお、以下に説明する実施形態では、カラー画像を形成可能とするカラーインクジェット式の記録装置を例に説明する。但し、本発明は必ずしもカラー画像を形成するものに限らず、白黒画像を形成するものにも適用可能である。
【００１０】
図１は、本発明を適用可能なカラーインクジェット記録装置の一実施形態の構成を示す概略斜視図である。インクタンク２１１、２１６は処理液を収容し、インクタンク２１２〜２１５は４色のインク（イエロー、マゼンダ、シアン、黒：Ｙ、Ｍ、Ｃ、Ｋ）をそれぞれ収容している。そして、インクタンク２１１〜２１６は、これら処理液と４色のインクを記録ヘッド２００のノズル２０１〜２０６に対して供給可能に構成されている。記録ヘッド２００のノズル２０１〜２０６は、主走査方向Ｘおよび搬送方向Ｙに複数配列され、インクタンク２１１〜２１６から供給される処理液及びインクを吐出できるように構成されている。すなわち、ノズル２０２〜２０５は、複数種のインクを吐出可能であり、ノズル２０１および２０６は、処理液を吐出可能である。処理液とはインクと接触することでインクに作用する液体であって、例えばインク中の色剤を不溶化、または凝集させる作用を有する成分を含有する液体である。このような液体としては、記録された画像の耐水性を向上させたり、濃度を増加させたり、にじみを防いだり、フェザリング現象を低減する等のプリント性を向上させる効果を奏する液体とすることができる。
【００１１】
搬送ローラ１０３は、補助ローラ１０４とともに記録媒体１０７を挟持しながら回転して記録媒体１０７を搬送するとともに、記録媒体（記録用紙）１０７を保持する役割も担っている。キャリッジ１０６は、インクタンク２１１〜２１６及び記録ヘッド２００を搭載可能であって、これら記録ヘッドおよびインクタンクを搭載しながらＸ方向に沿って往復移動可能に構成されている。このキャリッジ１０６の往復移動中に記録ヘッドから処理液及びインクが吐出され、これにより記録媒体に画像が記録される。記録ヘッド２０１〜２０６の回復動作時等の非記録動作時には、このキャリッジ１０６は図中の点線で示したホームポジション位置ｈに待機するように制御される。
【００１２】
記録開始前にキャリッジ１０６と共に図１に示すホームポジションｈに位置する記録ヘッド２００は、記録開始命令が入力されると、図中のＸ方向に移動しつつ、処理液及びインクを吐出して記録媒体１０７上に画像を記録する。この記録ヘッドの１回の移動によって、記録ヘッドのノズルの配列範囲に対応した幅を有する領域に対して記録が行われる。記録走査が終了してから、続く記録走査が始まる前には搬送ローラ１０３が回転して、図中のＹ方向へと記録媒体が搬送される。続いて、記録ヘッドはホームポジジョンhに向かって−Ｘ方向に移動しつつ、処理液及びインクを吐出して記録媒体１０７上に画像を記録する。記録走査が終了してから、続く記録走査が始まる前には搬送ローラ１０３が回転して、図中のＹ方向へと記録媒体が搬送される。このように記録ヘッドの記録走査と記録媒体の搬送とを繰り返すことにより記録媒体１０７上への記録が完成する。記録ヘッド２００からインクを吐出する記録動作は、後述の制御手段による制御に基づいて行われる。
【００１３】
次に、図１に示したカラーインクジェット記録装置の記録制御系回路の概略構成を図２に示すブロック図を参照して説明する。図２において、４００は記録信号や記録に関連する制御信号を入力するインターフェ−ス、４０１はＭＰＵ（Micro Processing Unit）である。また、４０２はＭＰＵ４０１が実行する制御プログラム等を格納するＲＯＭ（Read Only Memory）である。４０３は各種データ（記録ヘッド２００に供給される記録信号や記録のための制御信号等）を保存しておくダイナミック型のＲＡＭ（Dynamic Random Access Memory (DRAM)）である。ＲＡＭ４０３には、記録ドット数や記録ヘッド２００の交換回数等も記憶が可能である。４０４は記録ヘッド２００に対する記録データの供給制御を行うゲートアレイであり、インターフェース４００、ＭＰＵ４０１、ＤＲＡＭ４０３間のデータの転送制御も行う。以上が記録制御部５００を構成している。
【００１４】
また、４０６は、記録ヘッド２００を搭載するキャリッジ１０６を往復移動させるためのキャリッジモータである。４０５は、記録媒体１０７の搬送のために搬送ローラ１０３を回転させるための搬送モータである。４０８、４０７は、搬送モータ４０５、キャリッジモータ４０６をそれぞれ駆動するためのモータドライバである。４０９は記録ヘッド２００を駆動するヘッドドライバであり、記録ヘッドのノズルの数に対応して複数設けられている。また、４１０はヘッド種別信号発生回路であり、キャリッジ１０６に相当するヘッド部５０１に搭載されている記録ヘッド２００の種類や数を示す信号をＭＰＵに与える。
【００１５】
次に、インクの記録順が往方向の主走査（往方向走査）と復方向の主走査（復方向走査）とで異なることに起因して画像に色ムラが発生するしくみについて説明する。図３は処理液を付与しないでレッド画像を１パス記録の往復走査による双方向記録する例を示す図である。記録ヘッドの往走査と復走査とでマゼンタインク、イエローインクの記録順序が異なる（往走査ではマゼンタ→イエロー、復走査ではイエロー→マゼンタ）ため、記録ヘッドの走査幅毎に互いに隣接する画像の間で色ムラが発生する。
【００１６】
図４（ａ）は往走査時のマゼンタ→イエローの記録順で記録した場合における記録媒体へのインクの定着状態を表す模式図である。先に記録されたマゼンタインクが記録媒体の表層に留まり、後から記録されたイエローインクが記録媒体内部に浸透するため、メディア表層付近で３つの領域を形成する。領域（i）はマゼンタが多く含まれる領域。領域（ii）はマゼンタとイエローが混合した中間領域。領域（iii）はイエローが多く含まれる領域である。この場合記録媒体の最表層には領域（i）が形成されているため、印刷物を観察するとＭ成分が強く表れマゼンタよりのレッドに見える。
【００１７】
図４（ｂ）は復走査時にイエロー→マゼンタの記録順で記録した場合における記録媒体へのインクの定着状態を表す模式図である。往走査時とは反対に、記録媒体の最表層には領域（iii）が形成されているため、印刷物を観察するとY成分が強く表れイエローよりのレッドに見える。このように往走査と復走査で記録順により色みの異なるレッドが形成されるため、走査幅毎に色ムラが発生し、画質を劣化させる。
【００１８】
図５は処理液を付与した場合にレッド画像を１パス記録の往復走査による双方向記録する例を示す図である。ここで処理液は必ずインクが記録される前に記録ヘッドから吐出し記録媒体に付与する。往走査時には記録ヘッド２００のノズル２０１から処理液を吐出、復走査時にはノズル２０６から処理液を吐出することで常にインクの記録を行う前に処理液を付与可能である。処理液を付与する場合においても記録ヘッドの往走査と復走査とでマゼンタインク、イエローインクの記録順序が異なる（往走査では処理液→マゼンタ→イエロー、復走査では処理液→イエロー→マゼンタ）ために、記録ヘッドの走査幅毎に色ムラが発生する。図６（a）は往走査時の処理液→マゼンタ→イエローの記録順で記録した場合における記録媒体へのインクの定着状態を表す模式図である。図６（b）は復走査時に処理液→イエロー→マゼンタの記録順で記録した場合における記録媒体へのインクの定着状態を表す模式図である。処理液を付与する場合においても先に記録されたインクが記録媒体の表層に留まり、後から記録されたインクが記録媒体内部に浸透する傾向は変わらない。しかし、処理液と反応することによりインクはより記録媒体の表層の狭い領域に定着するため、記録順による発色の違いはより顕著に現われ、画質を劣化させる。
【００１９】
次に、処理液の付与量とインクの定着状態と色の見え方との関係について説明する。
【００２０】
図７は往走査と復走査時に付与する処理液量を変化させた場合のインクの定着状態と色の見え方を表す模式図である。図７（a）は往走査で処理液→マゼンタ→イエローの記録順で付与する処理液量の量が相対的に多い条件で記録した場合を表す。インクの浸透深さはｄ１である。この場合インクと反応する処理液量が多いため、より記録媒体表層にインクが定着する。図７（b）は同じく往走査で処理液→マゼンタ→イエローの記録順で付与する処理液量が相対的に少ない条件で記録した場合を表す。インクの浸透深さはd2である。この場合インクと反応する処理液量が少ないため、処理液量が多い場合と比較して、より記録媒体内部にインクが拡がり定着する。このように処理液量の違いに応じて記録媒体へのインクの定着状態は変化する。その結果、印刷物を観察した際の色の見え方は、処理液量が多い場合は色の見え方Ａ、処理液量が少ない場合は色の見え方Ｂとして見える。すなわち、記録するインクの量は同量であっても、付与する処理液量に応じて色は異なって見える。
【００２１】
図７（c）は復走査で処理液→イエロー→マゼンタの記録順で付与する処理液量が比較的多い条件で記録した場合を表す。インクの浸透深さはｄ３である。図７（ｄ）は復走査で処理液→イエロー→マゼンタの記録順で付与する処理液量が比較的少ない条件で記録した場合を表す。インクの浸透深さはｄ４である。復走査の場合も往方向の場合同様印刷物を観察した際の色の見え方は処理液量が多い場合は色の見え方Ｃ、処理液量が少ない場合は色の見え方Ｄであり、両者は異なる色として見える。すなわち、記録するインクの量は同量でも付与する処理液量によって色は異なって見える。また、浸透深さは処理液の量、または記録順によって異なる深さになる。
【００２２】
ところで、処理液の付与量が同量の条件において往復走査で色みが異なり色ムラとなってしまう場合であっても、往走査と復走査とで処理液の付与量を変化させると色みが近い組み合わせが存在しうる。図７を例にとると、色の見え方Ａ（付与量多い）とＣ（付与量少ない）では色みが大きく異なるが、色の見え方Ａ（付与量多い）とＤ（付与量少ない）では観察した際の色がほぼ等しくなる。すなわち、往復走査において、色みが等しくなる最適な処理液量を付与することができれば色ムラを低減できることを意味する。
【００２３】
また、往走査と復走査とにおいて色ムラを低減できる最適な処理液量は、一定ではなく、これはインク自体の組成による物性の違い（浸透性等）に加えて、各インクと処理液との反応の大小の程度差によって変化する。例えば、処理液とイエローは強反応、マゼンタとは弱反応、シアンとは中程度の反応性である場合には、各インクの組み合わせにより往復走査で色みが等しくなる最適な処理液量は当然異なってくる。色ムラを低減するためには画像を形成する各インクの割合に応じて適宜最適な処理液量を付与する必要がある。
【００２４】
表１は、異なる記録デューティのレッドを記録した際に往復走査で色みが等しくなる処理液の付与量の関係を示している。
【００２５】
【表１】
2012066576.tif 000003
【００２６】
なお、ここでいう記録デューティとは、複数のドット形成エリアの全てに１つずつドットが形成された場合を１００％の記録デューティとし、複数のドット形成エリアのエリア数に対する、複数のドット形成エリアに形成されるドットの総数の割合である。従って、例えば、全てのエリアのうち１／２のエリアそれぞれに１つのドットが形成されている場合は、５０％デューティとなる。また、全てのエリアに２つのドットがそれぞれ形成されている場合は２００％デューティとなる。
【００２７】
表１において、レッド１はマゼンタ２０％、イエロー２０％デューティ、合計で４０％デューティの組み合わせに対しては往走査に付与する処理液量を１０％、復走査に付与する処理液量を１５％にすると往復走査の色みが最も近似することを示す。レッド２はマゼンタ５０％、イエロー５０％デューティ、合計で１００％デューティの組み合わせに対しては往走査に付与する処理液量を２０％、復走査に付与する処理液量を４０％にすると往復走査の色みが最も近似することを示している。同じ色相のレッドであっても記録する合計デューティが異なれば往復走査で色みを近づけるための最適な処理液量は異なってくることを示している。
【００２８】
要するに、インクの記録順に起因した色ムラを低減するためには、単位領域に付与する複数種のインクの相対的な割合（比率）及び複数種のインクの総量（合計デューティ）に応じて、適宜最適な処理液量を付与する必要がある。
【００２９】
次に、処理液付与量の決定方法について説明する。往復走査それぞれにおいてマゼンタ５０％、イエロー５０％デューティで形成されるレッドの記録を行う場合を例にとって説明する。表２は記録順１（第１の記録順）と記録順２（第２の記録順）において付与する処理液量と、記録物を測色機で測定した際の測色値との関係を示した表である。
【００３０】
【表２】
2012066576.tif 000004
【００３１】
記録順１は処理液→マゼンタ→イエローの順、記録順２は処理液→イエロー→マゼンタの順に記録を行う。表中に示す測色値の記号の意味であるが、L*a*b*の値を表している。表２の記録順１の往走査処理液付与量２０％の場合は（L*、a*、b*）＝（L*2、a*2、b*2）を意味している。
【００３２】
次に、記録順１の記録物の測色値と、記録順２の記録物の測色値の組み合わせ全ての色差（ΔE）を算出する。色差（ΔE）は記録順１処理液付与量２０％、記録順２処理液２０％の場合を例にすると次式で算出を行う。
ΔＥ＝{（L*2−L*5）2＋（a*2−a*5）2＋（b*2−b*5）2}1/2
【００３３】
表３は記録順１の記録物（第１の画像）の測色値と、記録順２の記録物（第２の画像）の測色値の組み合わせと算出した色差の関係を示した表である。
【００３４】
【表３】
2012066576.tif 000005
【００３５】
表３において、最も色差が小さい組み合わせで往復走査で記録を行った場合に、発生する色ムラが最も小さいことを意味する。処理液付与量は最も色差が小さい組み合わせを選択することで決定される。例えば表３において色差fが最も小さい値であった場合、記録順１では２０％、記録順２では４０％の処理液を付与して行えば色ムラを低減することができる。すなわち、記録順毎に付与する最適な処理液量は、第１の画像と第２の画像との間の色差に関連付けられている。
【００３６】
このようにして記録順毎に付与する処理液量の決定を行う。また、本実施形態ではL*a*b*表色系で説明したが他の表色系を用いた構成であっても構わない。また、本実施形態において処理液付与量は色差が最も小さくなる組み合わせを選択することで決定するとした。しかし、濃度を得るために一定以上の処理液を付与する必要がある場合には、一定量以上の処理液量の組み合わせの中から色差が小さくなる組み合わせを選択するようにすればよい。
【００３７】
次に、画像を形成する各インクの割合及び合計デューティに応じた処理液データの生成処理について説明する。
【００３８】
図８は、本実施形態において、入力画像データをインクジェット記録装置にて記録可能な記録データへと変換するデータ変換処理を示す機能ブロック図である。図８に示すプリンタ１２１０は、図２に示した概略構成における記録制御部５００に略相当する。また、図８に示すホストコンピュータ（以下、ホストＰＣ）１２００は、図２のインターフェース４００を介してプリンタ１２１０と以下で説明するデータなどの授受を行う。
【００３９】
ホストＰＣ１２００では、まず、アプリケーションから受け取った入力データ（入力画像データ）１０００を、例えば、３００ｄｐｉの解像度でレンダリング処理１００１を行う。これによって、多値（本実施形態では、２５６値）の記録用多値ＲＧＢデータ１００２が生成される。生成された多値ＲＧＢデータ１００２はプリンタ１２１０に転送される。
【００４０】
プリンタ１２１０では、多値ＲＧＢデータ１００２から多値のＫＣＭＹデータ１００４への変換処理１００３を行う。変換されたＫＣＭＹデータ１００４は所定の量子化方法で解像度３００ｄｐｉの２値のデータに量子化される。本実施形態では、誤差拡散法によって記録ヘッドによって記録可能な解像度３００ｄｐｉの２値のデータに量子化される。最後に、２値のＫＣＭＹデータ１００５に基づいて、後に詳述する処理液データ生成処理１００６が行われる。
【００４１】
本実施形態では、記録データを複数のブロック、すなわち、所定の単位領域に分割してドットカウントを行い、その結果に基づき処理液データの生成を行う。すなわち、記録データの所定の単位領域毎に規定される前記単位領域において打ち込まれるべき複数種のインクの相対的な割合および複数種のインクの総量に応じて、処理液量を決定し、その処理液量に基づき処理液データの生成を行う。図９は処理液データ生成処理１００６の処理対象ブロックを説明する模式図である。１つのドットカウントブロックの大きさは、１６×１６ドット（３００ｄｐｉ）である。本実施形態における記録ヘッドのノズル数は８０であり、各ノズルはノズル列方向に３００ｄｐｉの間隔で等間隔に並んでいる（不図示）。紙送り方向にはヘッド幅に対応する８０（３００ｄｐｉ）を５等分され、５個の処理ブロックに分割される。主走査方向には記録データを記録幅分複数個に分割して並んでいる。記録ヘッドの記録走査１回分のデータ、すなわち、（ノズル数）×（走査方向のドット数）分のデータは、紙送り方向（副走査方向）には５個、主走査方向にはＮ等分され、Ｎ個のドットカウントブロックに分割される。本実施形態の場合、主走査方向については記録幅８インチをＮ＝１５０で分割する。また、各処理ブロックでは、縦１６×横１６の画素に対して、吐出“１”あるいは非吐出“０”のデータが対応付けられている。
【００４２】
処理液データは、図９で示すと左上の注目処理ブロック（単位領域）から順に主走査方向に向かって処理され、一の行の処理が終了すれば次の行の左端から同様に主走査方向に向かって処理され、全記録データに対応する処理液データが生成される。なお、本実施形態では処理ブロックの大きさを１６×１６ドッ（３００ｄｐｉ）としたが、本体構成やインク組成等により他の大きさの方が好ましい場合には任意の大きさに設定すればよい。
【００４３】
図１０は本実施形態における処理液データ生成処理１００６の手順を示すフローチャートである。なお、以下の説明で用いる記号について説明しておく。
【００４４】
Dk：ブラックのドットカウント値
Dc：シアンのドットカウント値
Dm：マゼンタのドットカウント値
Dy：イエローのドットカウント値
Dmax：Dy、Dm、Dcの中で最大値
D3min：Dy、Dm、Dcの中で最小値
Dmid：Dy、Dm、Dcの中で最大でも最小でもない値
DcL：Dy、Dm、Dcの合計値
DK+cL：Dy、Dm、Dc、Dkの合計値
Ｄ１（1次色ドット数）：D1 = Dmax − Dmid
Ｄ２（2次色ドット数）：D2 = Dmid − D3min
Ｄ３（3次色ドット数）：D3 = D3min ＋ Dk
【００４５】
まず、処理対象領域が往走査で記録される領域であるか復走査で記録される領域であるかの情報を取得し、インクの記録順を確定する（Ｓ１０１）。ここで、インク記録順は往走査であればブラック→シアン→マゼンタ→イエローの順、復走査であればイエロー→マゼンタ→シアン→ブラックというように走査方向によって一意に決まる。この場合、往走査の記録順を記録順１、復走査の記録順を記録順２とする。次に、Ｋ（ブラック）、Ｃ（シアン）、Ｍ（マゼンタ）、Ｙ（イエロー）の各色毎の記録データのドットカウントを行い、各色のドットカウント値、Ｄｋ、Ｄｃ、Ｄｍ、Ｄｙを取得する（Ｓ１０２）。続いて、取得したドットカウント値に基づき後述する１次色２次色判定処理（Ｓ１０３）、色相領域判定処理（Ｓ１０４）、彩度領域判定処理（Ｓ１０５）を行う。そして、Ｓ１０３からＳ１０５の３つの判定処理の結果に基づき後述する処理ブロックの色判定処理（Ｓ１０６）を行う。次に色判定処理から得られた色情報及び記録順及びＤｋ、Ｄｃ、Ｄｍ、Ｄｙの合計値から予め設定してある処理液マスクテーブルから対応する処理液生成マスクの読み込みを行う（Ｓ１０７）。最後にＫ、Ｃ、Ｍ、Ｙ入力データと処理液生成マスクデータから処理液データを生成し（Ｓ１０８）、終了する。
【００４６】
図１１はステップＳ１０３で行う１次色２次色判定処理の手順を示すフローチャートである。まず、Ｄｃ、Ｄｍ、Ｄｙの中でＤｙが最大であるか否か判定を行う（Ｓ２０１）。仮にＤｙが最も大きい値である場合はステップＳ２０２へ進み処理領域は一次色がＹと判定される。そうでない場合にはステップＳ２０６へ進む。ステップＳ２０２で一次色がＹと判定された後はステップＳ２０３へ進み、Ｄｍ＞Ｄｙであるか否かの判定を行う。Ｄｍ＞Ｄｙであるならば処理領域は２次色がＲと判定され（Ｓ２０４）、そうでないならば２次色はＧと判定される（Ｓ２０５）。
【００４７】
次にステップＳ２０６においてＤｃ、Ｄｍ、Ｄｙの中でＤｍが最大であるか否か判定を行う。仮にＤｍが最も大きい値である場合はステップＳ２０２へ進み、処理領域は一次色がＭと判定される。そうでない場合にはステップＳ２１１へ進み、一次色がＣと判定される。ステップＳ２０７で一次色がＭと判定された後はステップＳ２０８へ進みＤｙ＞Ｄｃであるか否かの判定を行う。Ｄｙ＞Ｄｃであるならば処理領域は２次色がＲと判定され（Ｓ２０４）、そうでないならば２次色はＢと判定される（Ｓ２０５）。
【００４８】
ステップＳ２１１で一次色がＣと判定された後はステップＳ２１２へ進み、Ｄｙ＞Ｄｍであるか否かの判定を行う。Ｄｙ＞Ｄｍであるならば処理領域は２次色がＧと判定され（Ｓ２１３）、そうでないならば２次色はＢと判定される（Ｓ２１４）。以上で１次色２次色判定処理を終了する。
【００４９】
このようにして処理領域が１次色としてＣ、Ｍ、Ｙのどの領域に属しているか、２次色としてＲ、Ｇ、Ｂのどの領域に属しているかについて判定を行う。
【００５０】
図１２はステップＳ１０４で行う色相領域判定処理の手順を示すフローチャートである。
【００５１】
まず、Ｄ１≧３×Ｄ２であるか否か判定を行う（Ｓ３０１）。Ｄ１が３×Ｄ２以上であれば色相は１次色領域Ｈ１と判定される（Ｓ３０２）。Ｄ１が３×Ｄ２より小さければ次にＤ２≧３×Ｄ１であるか否か判定を行う（Ｓ３０３）。Ｄ２が３×Ｄ１以上であれば色相は２次色領域Ｈ２と判定される（Ｓ３０４）。Ｄ２が３×Ｄ１より小さければ色相中間領域と判定される（Ｓ３０５）。以上で色相領域判定処理を終了する。
【００５２】
このようにして処理領域の色相が１次色、２次色、中間領域のどの領域に属しているかについて判定を行う。なお、本実施形態における色相領域判定処理は１次色領域と２次色領域及び色相中間領域の３段階にしか区分しなかったが、より細かく制御を行いたい場合には、閾値を複数段階設け複数の色相領域に区分すればよい。
【００５３】
図１３はステップＳ１０５で行う彩度領域判定処理の手順を示すフローチャートである。まず、Ｄ１＋Ｄ２≧２×Ｄ３K+CLであるか否か判定を行う（Ｓ４０１）。Ｄ１＋Ｄ２が２×Ｄ３K+CL以上であれば高彩度領域ＣHと判定される（Ｓ４０２）。Ｄ１＋Ｄ２が２×Ｄ３K+CLより小さければ低彩度領域ＣLと判定される（Ｓ３０５）。なお、本実施形態における彩度領域判定処理は高彩度領域ＣHと低彩度領域ＣLの２段階にしか区分しなかったが、より細かく制御を行いたい場合には、閾値を複数段階設け複数の彩度領域に区分すればよい。
【００５４】
次に、上記１次色２次色判定処理（Ｓ１０３）及び色相領域判定処理（Ｓ１０４）及び彩度領域判定処理（Ｓ１０５）の判定結果に基づきステップ１０６の色判定処理において処理領域がどの色領域に属するか判定を行う。
【００５５】
図１４はステップ１０６で行う色判定処理の手順を示すフローチャートである。まず、Ｄｋ≧５×ＤCLであるか否か判定を行う（Ｓ５０１）。Ｄｋが５×ＤCL以上であれば色領域はＫと判定される（Ｓ５０２）。Ｄｋが５×ＤCLより小さければ次に彩度領域がＣH（高彩度領域）であるか否か判定を行う（Ｓ５０３）。彩度領域がＣHであれば次に色相領域がＨ1であるか否か判定を行う（Ｓ５０４）。色相領域がＨ1であれば後述するCHH1色判定処理を行う（Ｓ５０５）。ステップＳ５０４で色相領域がＨ1でなければ色相領域がＨMであるか否か判定を行う（Ｓ５０６）。色相領域がＨMであれば後述するCHHM色判定処理を行う（Ｓ５０７）。ステップＳ５０６で色相領域がＨMでなければ後述するCHH2色判定処理を行う（Ｓ５０８）。
【００５６】
次に、ステップＳ５０３で彩度領域がＣHでなければ次に色相領域がＨ1であるか否か判定を行う（Ｓ５０９）。色相領域がＨ1であれば後述するCLH1色判定処理を行う（Ｓ５１０）。ステップＳ５０９で色相領域がＨ1でなければ色相領域がＨMであるか否か判定を行う（Ｓ５１１）。色相領域がＨMであれば後述するCLHM色判定処理を行う（Ｓ５１２）。ステップＳ５１１で色相領域がＨMでなければ後述するCLH2色判定処理を行う（Ｓ５１３）。以上で色判定処理を終了する。
【００５７】
図１５はCHH1色判定処理（Ｓ５０５）の手順を示すフローチャートである。まず１次色判定結果がＹあるか否か判定を行う（Ｓ６０１）。１次色判定結果がＹであったなら色領域はＹHと判定される（Ｓ６０２）。ステップＳ６０１で１次色判定結果がＹでなければ次に１次色判定結果がＭあるか否か判定を行う（Ｓ６０３）。１次色判定結果がＭであったなら色領域はＭHと判定される（Ｓ６０４）。ステップＳ６０３で１次色判定結果がＭでなければ色領域はＣHと判定される（Ｓ６０５）。以上でCHH1色判定処理は終了する。
【００５８】
図１６はCHHM色判定処理（Ｓ５０７）の手順を示すフローチャートである。まず、１次色判定結果がＹあるか否か判定を行う（Ｓ７０１）。１次色判定結果がＹであったなら次に２次色判定結果がＲであるか否か判定を行う（Ｓ７０２）。１次色判定結果がＹ、２次色判定結果Ｒであったなら色領域はＹＲHと判定される（Ｓ７０３）。ステップＳ７０２で２次色判定結果がＲでなければＹを含む２次色の色相はＧのみであるため、色領域はＹＧHと判定される（Ｓ７０４）。ステップＳ７０１で１次色判定結果がＹでなければ次に１次色判定結果がＭあるか否か判定を行う（Ｓ７０５）。１次色判定結果がＭであったなら次に２次色判定結果がＲであるか否か判定を行う（Ｓ７０６）。２次色判定結果Ｒであったなら色領域はＭＲHと判定される（Ｓ７０7）。ステップＳ７０６で２次色判定結果がＲでなければ色領域はＭＢHと判定される（Ｓ７０８）。ステップＳ７０５で１次色判定結果がＭでなければ、１次色判定結果はＣ以外にありえない。次に２次色判定結果がＧあるか否か判定を行う（Ｓ７０９）。２次色判定結果Ｇであったなら色領域はＣＧHと判定される（Ｓ７１０）。ステップＳ７０９で２次色判定結果がＧでなければ色領域はＣＢHと判定される（Ｓ７１１）。以上でCHHM色判定処理を終了する。
【００５９】
図１７はCHH2色判定処理（Ｓ５０８）の手順を示すフローチャートである。まず２次色判定結果がＲあるか否か判定を行う（Ｓ８０１）。２次色判定結果がＲであったなら色領域はＲHと判定される（Ｓ８０２）。ステップＳ８０１で２次色判定結果がＲでなければ次に２次色判定結果がＧであるか否か判定を行う（Ｓ８０３）。２次色判定結果がＧであったなら色領域はＧHと判定される（Ｓ８０４）。ステップＳ８０３で２次色判定結果がＧでなければ色領域はＢHと判定される（Ｓ６０５）。以上でCHH2色判定処理は終了する。
【００６０】
図１８はCLH1色判定処理（Ｓ５１０）の手順を示すフローチャートであるが、処理の内容は、CHH1色判定処理（Ｓ５０５）と同じであるため説明は省略する。同様に図１９はCLHM色判定処理（Ｓ５１２）はCHHM色判定処理（Ｓ５０７）と、図２０はCLH2色判定処理（Ｓ５１３）はCHH2色判定処理（Ｓ５０８）と処理の内容が同じであるため説明は省略する。
【００６１】
以上説明した処理を行うことで各色のドットカウント値の比率から処理対象ブロックがどの色領域に属すかについて判定を行うことができる。すなわち、単位領域に記録される画像の色相を示す情報を取得することができる。
【００６２】
図２１は判定された色領域を説明するイメージ図である。H1、HM、H2は１次色領域、２次色領域、色相中間領域といった色相を表す。グレーで塗り潰した領域は低彩度領域、それ以外は高彩度領域を表している。Kのみは別に区分してある。例えば、処理領域に含まれるデータがほぼＹデータのみでその他のインクデータがほとんど含まれない場合にはYHと色判定される。また、処理領域に含まれるデータはYデータが最も多く、Ｍ、Ｃデータは等量含まれるようなデータの場合、ＹLと色判定される。つまり色判定を行うことで、処理領域毎にどのインクがどの程度の割合で含まれているかが分かる。
【００６３】
次に図１０のステップＳ１０７における処理液生成マスクの選択方法について説明する。
【００６４】
表４は処理液マスクテーブルを説明するための表である。色判定がＲHと色判定された場合に走査方向とＤK+CL（合計デューティ）によって選択される処理液生成マスクの関係を表している。
【００６５】
【表４】
2012066576.tif 000006
【００６６】
例えば色判定処理（Ｓ１０６）でＲHと判定された場合、ステップＳ１０７では表４に示すＲH処理液生成マスクテーブルを参照する。ステップＳ１０７は、処理液量決定手段を構成する。表４には説明を簡単にするためＲHのみ記載しているが、その他の色についても同様のテーブルを備えているものとする。次に処理領域の記録順が記録順１、ＤK+CLの値が５０％から１００％の間であった場合処理液生成マスクはＣが選択される。別の例として、記録順が記録順２、ＤK+CLの値が１５０％から２００％の間であった場合処理液生成マスクはＨが選択される。なお、処理液生成マスクのサイズは処理領域と同じ１６×１６（３００ｄｐｉ）である。また、処理液生成マスクＡからＪは少なくとも１つが異なるマスクデータである。ここでＤK+CLの値によっても選択されるマスクデータを異ならせている理由であるが、同じ色相の色であっても、付与するインクの総量が異なれば最適な処理液量が異なるためである。ＤK+CLの値によって選択されるマスクを切り替えることで処理液の付与量を最適な量に制御することができる。
【００６７】
次に、図１０のステップＳ１０８における処理液データの生成方法について説明する。入力Ｋ、Ｃ、Ｍ、ＹデータとステップＳ１０７で選択された処理液生成マスクから処理液データの生成を行う。
【００６８】
図２２は処理液データ生成方法を説明する模式図である。まず、入力データＫ、Ｃ、Ｍ、Ｙの論理和（ＯＲ）をとり、入力ＯＲデータを生成する。ここで、入力データＫ、Ｃ、Ｍ、Ｙ及び入力ＯＲデータのサイズは処理領域と同じ１６×１６（３００ｄｐｉ）である。次に入力ＯＲデータとステップＳ１０７で選択した処理液生成マスクとの論理積（ＡＮＤ）をとり、処理液データを生成する。ここで、図２２に示した処理液生成マスクは５０％の記録デューティに相当する。入力ＯＲデータとＡＮＤすることで５０％デューティに間引かれたデータが生成される。このように最適な処理液量となる処理液生成マスクを選択し、処理液データを生成することで処理液の記録デューティを任意に制御することが可能になる。
【００６９】
以上が本実施形態における処理液データ生成処理に関する説明である。
【００７０】
また、本実施形態においては２値のＫＣＭＹデータ１００５に基づいて、処理液データ生成処理１００６を行う構成とした。しかし、特に２値データである必要はなく、多値データに基づき処理液データを生成する構成としてもよい。この場合も、多値データに基づいて単位領域に打ち込まれる複数色のインクの総量及びインク色毎の量の比を取得し、処理液の付与量を決定すればよい。また、処理液データ生成をプリンタ本体１２１０で行う構成としているが、ホストＰＣ等でデータを生成する構成としてももちろん構わない。画像を形成する各インクの付与量の合計及びインク色毎の比に応じて色判定を行い、処理液量を決定できる構成であればよい。
【００７１】
また、本実施形態においてはブラック、シアン、マゼンタ、イエローの４色構成の場合について説明を行った。しかしながら、例えばフォトシアン、フォトマゼンタといった淡インクやレッド、ブルー、グリーンのインクを加えた場合においても同様に画像を形成する各インクの相対的割合及び総打ち込み量に応じて処理液量を決定すればよい。
【００７２】
また、本実施形態は、往復走査で記録を行う形態において往走査と復走査とで別々に処理液量を生成する方法であるが、記録される画像の色を示す情報に応じて処理液量を決定する方法であれば、往復走査で記録する形態に限るものではない。
【００７３】
また、本実施形態は、単位領域に打ち込むインク滴の数をカウントしたドットカウント値に基づいて、単位領域に記録する画像の色判定を行ったが、複数のインク滴のサイズがある場合にはこの形態に限るものではない。すなわち、記録される画像の色相は、単位領域に付与されるインクの総量と色毎の量の割合によって決まるものであり、複数のインク滴のサイズがある場合には、付与されるインク滴の数が同じでも、色が異なる場合がある。従って、単位領域に付与されるインクの量及び色毎の相対的な割合に基づいて色を判定し、処理液量を決定すればよい。
【００７４】
また、本実施形態は、往走査と復走査とで異なる色が記録されてしまう場合の色ムラを低減できる構成としているが、色によっては往復走査での色ムラがほとんど生じない場合がある。例えば、色判定処理（Ｓ１０６）で一次色領域であるＹH、ＣH、ＭHのいずれかと判定された場合には、往復走査での色ムラがほとんど生じない。なぜなら、この一次色領域に付与されるインクのほとんどがある１色のインクであり、他のインクが付与される量は０であるか、微小な量であるからである。従って、記録順による色ムラがほとんど生じないこれらの領域では、往走査と復走査で処理液の付与量を変える必要がない。つまり、処理液の付与量が実質同じ量でもよいため、往走査と復走査のそれぞれのマスクを記憶しておく必要がない。
【００７５】
また、本実施形態において記録順によって処理液量を変更するということは、インクのメディアへの定着位置をコントロールしていることを意味している。本明細書では処理液とは接触することで、例えばインク中の色剤を不溶化、または凝集させる作用を有する成分を含有する液体としているが、インクの浸透を促進する成分を含有する液体であってもよい。処理液はインクのメディアへの定着位置を変化させる成分を含有する液体であればよい。また、本実施形態では、インクよりも先に処理液を付与する形態を用いているが、これに限るものではなく、例えばインクの後に処理液を付与する形態であってもよい。
【００７６】
（第２の実施形態）
第１の実施形態においては往復走査における処理液付与量の決定方法においては色差ΔEが最も小さくなる組み合わせを選択する方法について説明した。第２の実施形態では色相の差が最も小さくなる組み合わせを選択する方法について説明する。処理液付与量の決定方法以外の構成は第１の実施形態と同じである。
【００７７】
往復走査それぞれにおいてマゼンタ５０％、イエロー５０％デューティの組み合わせのレッドの記録を行う場合を例にとって説明する。表２は第１の実施形態においても説明したが各記録順において付与する処理液量と、記録物を測色機で測定した際の測色値との関係を示した表である。
【００７８】
第２の実施形態においては、記録順１の場合における記録物の測色値と、記録順２の場合における記録物の測色値の組み合わせ全てに対してL*を除いた色差ΔEHを算出する。明度L*を除いた色差を用いる理由は、色ムラは明度が異なるよりも色相が異なる場合の方がより顕著に見える場合があるためである。ΔEHは記録順１処理液付与量２０％、記録順２処理液２０％の場合を例にすると次式で算出を行う。
【００７９】
【数１】
2012066576.tif 000007
【００８０】
後は第１実施形態と同様算出したΔEHの中で最も小さい値の組み合わせを選択し、往復走査で付与する処理液量の決定を行う。すなわち、記録順毎に付与する最適な処理液量は、第１の画像と第２の画像との間の色差に関連付けられている。
【００８１】
また、本実施形態において処理液付与量は色相差が最も小さくなる組み合わせを選択することで決定するとした。しかし、濃度を得るためには一定以上の処理液を付与する必要がある場合には、一定量以上の処理液量の組み合わせの中から色相差が小さくなる組み合わせを選択するようにすればよい。
【００８２】
（第３の実施形態）
本実施形態においては異なるメディア種における処理液データ生成処理について説明する。その他の構成については第１の実施形態と同じである。メディアの種類によってインクの浸透、定着状態は変化する。その結果あるメディアαでは往復走査で色ムラが発生しない処理液の付与量であってもメディアβでは色ムラが発生する。つまりメディア種によって付与する処理液量を変化させる必要がある。
【００８３】
本実施形態では、処理液データ生成処理における処理液生成マスクテーブルをメディア種毎に備え、処理液データを生成することでメディアが異なっても色ムラを低減することが可能な構成について説明を行う。
【００８４】
ここで、図１０のステップＳ１０７における処理液生成マスクの選択方法について説明する。表５は処理液マスクテーブルを説明するための表である。色判定がＲHと色判定された場合に走査方向とＤK+CL（合計デューティ）によって選択される処理液生成マスクの関係を表している。
【００８５】
【表５】
2012066576.tif 000008
【００８６】
例えば色判定処理（Ｓ１０６）でＲHと判定された場合、ステップＳ１０７では表５に示すＲH処理液生成マスクテーブルを参照する。この際記録するメディア種がメディアαの場合は表５（a）のテーブルを参照し、メディアβであった場合には表５（b）を参照する。
【００８７】
例えばメディア種がαで記録順が記録順１、ＤK+CLの値が５０％から１００％の間であった場合処理液生成マスクはＣが選択される。一方記録順やＤK+CLの値が全く同じ場合であってもメディア種がβの場合には処理液生成マスクはＬが選択される。このようにメディア種毎にテーブルを備え、選択されるマスクを切り替える構成をとることでメディア種が異なる場合においても色ムラを低減させることができる。
【００８８】
（第４の実施形態）
第１の実施形態においては、１回の記録走査でヘッド幅分の記録を完成させる１パス記録を例に挙げて説明を行った。本実施形態においては複数回の記録走査で記録を完成させるマルチパス記録における処理液データ生成処理について説明を行う。その他の構成については第１の実施形態と同じである。
【００８９】
図２３（a）はレッド画像を１パス双方向記録する場合を説明する図である。第１の実施形態でも説明をしたが、記録ヘッドの往走査と復走査とでマゼンタインク、イエローインクの記録順序が異なる（往走査では（Ａ）マゼンタ→イエロー、復走査では（Ｂ）イエロー→マゼンタ）ために、記録ヘッドの走査幅毎に色ムラが発生する。１パス記録の場合は（Ａ）と（Ｂ）の領域毎に処理液の付与量を変更することで双方向記録時の色ムラを低減することができる。
【００９０】
図２３（b）はレッド画像を２パス双方向記録する場合を説明する図である。２パス記録ではまず第１の記録走査で記録ヘッドの下半分のノズルを使用し、マゼンタ→イエローの記録順で画像の約５０％デューティの記録を行う。次に紙送りをヘッド幅の半分行い、ヘッドの上半分で残りの約５０％デューティの記録をイエロー→マゼンタの記録順で行い画像を完成させる。これを交互に繰り返すことで画像全体の記録を行う。記録ヘッドの往走査と復走査とでマゼンタインク、イエローインクの記録順序が異なるために、記録ヘッド幅の半分の長さ毎に色ムラが発生する。図２５（b）で示すと（C）マゼンタ→イエロー→イエロー→マゼンタの記録順で記録された領域と（D）イエロー→マゼンタ→マゼンタ→イエローの記録順で記録された領域毎に色ムラが発生する。２パス記録の場合は（Ｃ）と（Ｄ）の領域毎に処理液の付与量を変更することで双方向記録時の色ムラを低減することができる。
【００９１】
本実施形態では、処理液データ生成処理における処理液生成マスクテーブルを記録パス数毎（方向毎）に備え、処理液データを生成することで記録パス数が異なっても色ムラを低減することが可能な構成について説明を行う。
【００９２】
ここで、図１０のステップＳ１０７における処理液生成マスクの選択方法について説明する。表６は処理液マスクテーブルを説明するための表である。色判定がＲHと色判定された場合に走査方向とＤK+CL（合計デューティ）によって選択される処理液生成マスクの関係を表している。
【００９３】
【表６】
2012066576.tif 000009
【００９４】
例えば、色判定処理（Ｓ１０６）でＲHと判定された場合、ステップＳ１０７では表６に示すＲH処理液生成マスクテーブルを参照する。この際、記録パス数が１パス記録の場合は表６（a）のテーブルを参照し、２パス記録であった場合には表６（b）を参照する。すなわち、各画像を完成させるために必要な走査回数に応じて処理液量を決定する。
【００９５】
例えば２パス記録で処理領域の記録順がＣ、ＤK+CLの値が５０％から１００％の間であった場合処理液生成マスクはＣ２が選択される。このように記録パス数毎にテーブルを備え、選択されるマスクを切り替える構成をとることで記録パス数が異なる場合においても色ムラを低減させることができる。
【００９６】
また、本実施形態においては１パス記録、２パス記録について説明を行ったが、４パス、８パス等のマルチパス記録においても同様に記録順が異なる領域毎に処理液データを生成する構成とすればよい。
【００９７】
（その他の実施形態）
上述の実施形態では、インクジェット記録装置のＲＯＭ４０２に処理液を付与する量を決定するためのマスクテーブルが格納されている方法を示したが、本発明はこれに限られるものではない。マスクテーブルはＲＡＭ４０３に格納されている形態でもよい。さらに、上述した処理液を付与する量を決定するための処理はインクジェット記録装置本体ではなく、ホストＰＣのプリンタドライバにおいて行われる形態であってもよい。尚、ホストＰＣにおいて記録データのドットカウントを行う場合は、ホストＰＣにおいて記録すべき多値の画像データを２値の画像データに変換する処理を行うことが好ましい。
【符号の説明】
【００９８】
２１１、２１６…インクタンク処理液
２００…記録ヘッド（記録手段）
１０７…記録媒体
【図１】
2012066576.tif 000010
【図２】
2012066576.tif 000011
【図３】
2012066576.tif 000012
【図４】
2012066576.tif 000013
【図５】
2012066576.tif 000014
【図６】
2012066576.tif 000015
【図７】
2012066576.tif 000016
【図８】
2012066576.tif 000017
【図９】
2012066576.tif 000018
【図１０】
2012066576.tif 000019
【図１１】
2012066576.tif 000020
【図１２】
2012066576.tif 000021
【図１３】
2012066576.tif 000022
【図１４】
2012066576.tif 000023
【図１５】
2012066576.tif 000024
【図１６】
2012066576.tif 000025
【図１７】
2012066576.tif 000026
【図１８】
2012066576.tif 000027
【図１９】
2012066576.tif 000028
【図２０】
2012066576.tif 000029
【図２１】
2012066576.tif 000030
【図２２】
2012066576.tif 000031
【図２３】
2012066576.tif 000032